(57)【要約】【課題】吐水具の装着方向に関係なく支持管に吐水具を確実に保持することができ、最適な吐水具の着脱操作力を容易に設定できるようにする。  【解決手段】  支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部には突起状の弾性体、前記突出部外周には溝部を、有し、前記係合部が前記突出部外周に係合する際に、前記突起状の弾性体が前記溝部に係止することを特徴とする吐水装置。【選択図】  図４
2006104681.tif 000002
【特許請求の範囲】
【請求項１】
支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部には突起状の弾性体、前記突出部外周には溝部を、有し、前記係合部が前記突出部外周に係合する際に、前記突起状の弾性体が前記溝部に係止することを特徴とする吐水装置。
【請求項２】
前記突出部の外周端面部と、前記外周端面部と接続される前記係合部の端面接続部のいずれか一方には凹部、他方には凸部を備えたことを特徴とする請求項１記載の吐水装置。
。
【請求項３】
前記突出部の外周端面部、又は、前記外周端面部と接続される前記係合部の端面接続部に、Oリングを備え、前記外周端面部と前記端面接続部が弾接したことを特徴とする請求項１記載の吐水装置。
【請求項４】
前記弾性部材が板バネであることを特徴とする請求項１〜３いずれか１項に記載の吐水装置
【発明の詳細な説明】
【技術分野】
【０００１】
本発明は、台所および洗面台や浴室などに設置する引出し可能な吐水具の保持装置を有した吐水装置に関するものである。
【背景技術】
【０００２】
従来の洗面台に設置される引出し可能な吐水具は、図１３に示されるように被係止部１が上向きであるものが一般的であり、セレーションと称される鋸歯状の係止部２と被係止部１との係合によって行われていた。このような場合は装着したまま回転できない場合が多く、回転できる仕様にすると部品点数が増し組立て時の作業性が悪くコスト高になった。また上向きであるがゆえに使用中の水かかりやホースの伝い水が水栓本体の接続口から入ることが多い。従って何らかの水進入防止機構が必要であった。
【０００３】
一方、被係止部が水平もしくは下向きのものは、水進入防止に関しては有利であるが、吐水具が重力で外れないように吐水具を支持管に保持させる機構が必要となる。そこで吐水具側接続口の内周面に溝を周設し、更にその接続口端面をスリットにしてこの吐水具側接続口の溝と支持管側接続口に周設された突起が嵌合することで下向き時の吐水具の保持に効果を発揮するものがあった。（例えば、特許文献１参照。）。 
【０００４】
このような場合、吐水具に誤って手が触れたりして下方向の荷重がかかると接続部のスリットが広がって嵌合が解除されて吐水具が支持管から外れたり、吐水具と支持管の間に隙間があいてしまうという問題があった。また、上記問題を解決しようと吐水具と支持管の嵌合をきつくすると吐水具の着脱操作力が大きくなるという問題もあった。このように吐水具と支持管は成形品の嵌合で固定されているが、それぞれの成形品の成形バラツキにより嵌合の緩いものや強いものが出来上がったり、樹脂の弾性力による嵌合はその調整に非常に手間がかかるという欠点があった。
【０００５】
【特許文献１】特開２００３−１４７８２１号公報
【発明の開示】
【発明が解決しようとする課題】
【０００６】
本発明は、上記問題を解決するためになされたもので、本発明の目的は、吐水具の装着方向に関係なく支持管に吐水具を確実に保持することができ、最適な吐水具の着脱操作力を容易に設定できるようにすることである。
【課題を解決するための手段】
【０００７】
上記目的を達成するために請求項１記載の発明は、支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部には突起状の弾性体、前記突出部外周には溝部を、有し、前記係合部が前記突出部外周に係合する際に、前記突起状の弾性体が前記溝部に係止することである。
これにより、弾性部材が突出部外周の溝部に着脱自在に弾接する構造とすることにより、支持管に吐水具を確実に保持することができる。
【０００８】
また、請求項２記載の発明は、前記突出部の外周端面部と、前記外周端面部と接続される前記係合部の端面接続部のいずれか一方には凹部、他方には凸部を備えたことである。
これにより、使用者の望む方向に吐水具を回転保持させることができ、回転操作時、凹部、凸部の係合により回転抵抗を与え、クリック感をだすことができる。
【０００９】
また、請求項３記載の発明は、前記突出部の外周端面部、又は、前記外周端面部と接続される前記係合部の端面接続部に、Oリングを備え、前記外周端面部と前記端面接続部が弾接したことである。
これにより、使用者の望む方向に吐水具を回転保持させることができ、回転操作時にＯリングにより回転抵抗を与えることでクリック感をだすことができる。
【００１０】
また、請求項４記載の発明は、前記弾性部材が板バネであることである。
これにより、係合部に突起状の弾性体を容易に形成することができる。
【発明の効果】
【００１１】
本発明によれば、最適な操作力で吐水具を確実に支持管に着脱でき、吐水具が容易に外れたり隙間ができたりしないという効果がある。
【発明を実施するための最良の形態】
【００１２】
以下、本発明の実施の形態を図面を用いて説明する。
【実施例】
【００１３】
以下、本発明を図示された実施例に基づいて詳述する。図２は洗面化粧台に取付けられている水栓Ａの一例である。図２（ａ）は、吐水具を引き出した状態の概略断面図、（ｂ）は吐水具を支持管に保持させた状態の概略断面図である。シャワーホース３４が接続された吐水具３１は端部を支持管３２に取付けられるようになっており、シャワーホース３４を介して引き出して使用することもできる。
【００１４】
水栓Ａの支持管３２は吐水具３１との接続部である突出部３３を水平または下向きに構成しており、吐水具３１を支持管３２から引き出して使用している際のかかり水やホースの表面に付着した水の伝い水が容易に支持管３２の接続口から浸入するのを防止している。更に支持管３２の突出部３３は図２に示すように凸形状をしており、水浸入がし難いように内通しているシャワーホース３４の外径とほぼ等しい内径で形成されており、水が浸入する隙間がほとんど無いようになっている。
【００１５】
図３に吐水具３１の簡単な分解外観図を示す。吐水具３１は散水板外筒４１、散水板内筒４２、吐水インナー４３および吐水カバー４４から構成されており、シャワーホース３４は吐水インナー４３と接続されてねじ４５を介して吐水カバー４４と一緒に固定される。散水板外筒４１、散水板内筒４２はねじ４６で吐水インナー４３と接続されており、散水板外筒４１には吐水形態を変更できる切替えレバー４１１を備えている。
【００１６】
吐水インナー４３には、突起状の弾性体である板ばね４８を少なくとも一つ装着できる装着基台部４７が設けられており、この装着基台部４７から吐水インナー４３の内周半径方向に向かって板ばね４８の山頂部分が突出できる程度の挿通孔４９が設けられている。板ばね４８は、この挿通孔４９から山頂部分が突出し、板ばね４８の開脚方向に突っ張った状態で装着基台部４７に設置されている。板ばね４８は図１に示すような板厚ｔ、高さh、開脚角度α、幅aの形状をしており、各寸法値は吐水具３１の大きさ、形状により決定される。本実施例において、夫々の寸法は、板厚ｔ：０．２５ｍｍ、高さh：９ｍｍ、開脚角度α：８０度、幅a：５ｍｍである。この板ばね４８の各寸法値を変えることで板ばね４８の弾性係数が変化し、吐水具３１の着脱操作力を変えることができる。つまり板ばね４８の弾性係数を大きくすると吐水具３１の着脱力が強くなり、小さくすると着脱力が弱くなるように調整可能となる。
【００１７】
次に板ばね４８の装着方法について説明する。金型構成上、吐水インナー４３の装着基台部４７は図３のように片側開放形状となるので、その開放側から板ばね４８を挿入することになる。吐水インナー４３の下方から山頂部を挿通孔４９に挿入して開脚方向に押し広げながら装着基台部４７にスライドしながら設置する。板ばね４８は装着基台部４７で弾設しているので容易に脱落はしないが上記のように装着基台部４７は片側が開放されているので、型構成や挿入組立て性は簡易となり有利であるが、反面、吐水具の着脱時の弾み等で板ばね４８が脱落する可能性がある。従って板ばね４８の脱落防止のため、吐水カバー４４の方にガイドリブ４０を設け、吐水カバー４４と吐水インナー４３を嵌合組立て時に、ちょうどガイドリブ４０が装着基台部４７の下面にスライドして当接するようにして、装着状態で板ばね４８が脱落することがないよう防止部を構成している。もちろんこれとは逆に、板ばねの装着方向が上方からの場合は、ガイドリブを装着基台部の上面と当接するように吐水カバー４４に設けても何ら差し支えはない。このような板ばね装着構造にすると、使用回数によって吐水具の着脱操作力が弱くなってきたり、板ばね４８が破損した場合などの際、交換やメンテナンス作業が容易になり大変便利である。更にメンテは吐水具３１全部を交換する必要はなく、板ばね４８だけの交換で済むので必要最小限の部品交換となり使用者にとってコストメリットもある。
【００１８】
図２の上方断面図を図４に示す。図４（a）は吐水具を引き出した場合であり、図４（b）は吐水具を装着した場合である。この実施例の場合は、2枚の板ばね４８がお互い正反対の位置に装着されており、図４のように、突出部３３外周に係合する係合部４８１（吐水インナー４３内周面）から板ばね４８の山頂部が中心方向に突出している。
【００１９】
一方、支持管３２の突出部３３はシャワーホース３４を挿通できる凸状筒体で、その外径は吐水インナー４３の突出部３３内径より僅小になっており吐水インナー４３と嵌合できる。また突出部３３の内径はシャワーホース外径より僅大であるため、使用中の水かかりやホースの伝い水が接続口から入り難くなっている。
【００２０】
図５は支持管３２の突出部３３の断面図である。図５に示すようにこの支持管３２の突出部３３の先端外周６２は全周Ｒ処理されているので、吐水具３１を支持管３２に装着する際は、スムーズに支持管３２に挿入をガイドできるようになっている。また、図４でわかるように支持管３２の突出部３３の外周面には溝部６１が周設されており、吐水具３１と支持管３２の装着完了状態で板ばね４８の山頂部が溝部６１に嵌入するようになっている。この溝部寸を板ばね４８の山頂寸よりも僅小に設定すると、装着完了状態で板ばね４８が支持管３２の突出部３３に弾接して、吐水具３１と支持管３２の接続部のがたつきや隙間が無くなり品位が向上する。更に装着時に板ばね４８のクリック音とクリック感により装着完了が確認できる。
【００２１】
更に相互の嵌合する形状は鋸歯状のような特異な形状ではなく筒状であるため、装着完了状態においても吐水具３１は首振り回動できる。またこの首振り回動に回転規制を設けたい場合には、図６のように吐水インナー４３端面に凸部３６を設け、支持管３２の接続部にこの凸部を十分に受容できる円弧状凹溝３５を設ければよい。吐水具３１の回転規制角度は、この凹溝３５の円弧長さで調整できる。吐水インナー４３端面にこのような凸部を設けることにより、吐水具３１を支持管３２に装着する時に吐水口を上方に向けたままで誤って装着しようとしても、完全に最後まで装着できなくなるので誤装着の防止効果も期待できる。
【００２２】
以上のように、吐水具３１と支持管３２の着脱機構に樹脂の弾性力ではなく板ばね４８による嵌合形態をとると、吐水具３１の着脱操作力は板ばね４８の弾性係数の調整により簡単に変えることができる。もちろん、調整可能であれば図７のように板ばね部を樹脂による一体成形としてもよい。吐水インナー８１に板ばねの代わりに弾性部８２を樹脂で一体的に成形すれば板ばね同様に支持管に着脱可能となる。
【００２３】
以上の構成としたことにより、支持管３２に保持された吐水具３１は板ばね４８の嵌合によって位置決めされた状態で支持管３２に保持されており、使用者が望む方向に向けて支持管３２に取付けられ、吐水具３１から水が使用者の望む方向に向けて吐出されるものである。そして、使用者の使用状況に応じて吐水具３１を首振り回動させることができる。
【００２４】
本実施例は、突出部３３を支持管３２側に、係合部４８１を吐水具３１側に設けたが、突出部３３を吐水具３１側に、係合部４８１を支持管３２側に設けても構わない。
【００２５】
次に第二の実施例について説明する。図８は板ばねの装着位置を変えた場合の概略断面図である。第一の実施例と同じ構成要素については同符号を付し説明は省略する。図８のように吐水具９０が支持管３２に取付けられた状態において、吐水インナー９２に装着された板ばね９１が支持管３２の突出部３３に周設された溝部６１に嵌入しない位置に別の板ばね装着基台部９３を吐水インナー９２に設けると、この板ばね９１が溝部６１以外で常に支持管３２の突出部３３の外周面と弾接することになり、首振り回動後でも吐水量の増減や吐止水時の反動で吐水具が自然に回転しないように回動抵抗を大きくして吐水具３１を保持することができる。
【００２６】
回動抵抗を大きくする他の手段としては、図９（ａ）のように突出部３３の外周端面部１００に半球状凸部１０１を設け、図３にあるように吐水インナー４３の端面接続部１１０に半球状凹部１０２をそれぞれ複数個設けると、吐水具９０の回転時にこの凹凸半球形状の係合によって回動抵抗を得ることもできる。吐水具９０は支持管３２に装着した時、吐水インナー９２に装着している板ばね９１によって支持管３２側に押し付けられるように弾接しているので、吐水具９０を回転させると半球状凸部１０１と凹部１０２の係合によってクリック感も出す事ができる。もちろん逆に支持管３２の突出部３３に半球状凹部１０２を、吐水インナー９２端面部に凸部１０１を設定しても何ら差し支えはない。この時、両者の材質としては摩耗に強いポリアセタールまたはＰＢＴ樹脂が適当である。
また、図９（b）のように支持管３２の突出部３３の外周端面部１００に設けたＯリング溝にＯリング１０３を嵌入させて、吐水具９０を支持管３２に装着して回転させると、図９（a）と同様に吐水具９０は支持管３２側に押し付けられるように弾接しているので吐水具９０の端面である端面接続部１１０（図３の端面接続部１１０に凹部１０２がない形態）がＯリング１０３と接触回転することで回動抵抗を得ることができる。もちろんＯリング１０３を端面接続部１１０側にのみ設けても本実施例と同じように回転抵抗を得ることができる。
【００２７】
次に、第三の実施例を簡単に説明する。図１０は鋼球を用いた別の実施例を示した着脱部の外観斜視図、図１１は図１０の断面斜視図を示すものであり、（ａ）は装着前の状態、（ｂ）は装着後の状態図である。図１０および図１１に示すように鋼球１１３が吐水インナー１１１の内周面から僅かに内側に突出した状態で保持され、内周面側に抜け落ちないような貫通傾斜孔が吐水インナー１１１の外周面に複数個設けられている。その外周面上にＣ字型の板ばね１１２が係止できるように溝部１１５が周設されており、貫通傾斜孔に入っている鋼球１１３が外周側へ抜け落ちないようにＣ字型の板ばね１１２で外周方向から弾接保持している。支持管３２の突出部１１４には上記の実施例同様に溝部１１５が周設されている。吐水インナー１１１と支持管３２の突出部１１４が係止開始状態で鋼球１１３は外周方向に押され、鋼球１１３が溝部１１５に嵌まり落ちた時に係止終了状態となる。
【００２８】
係止終了状態でもＣ字型の板ばね１１２は鋼球１１３を弾押しているのでガタツキがなく装着している。凹溝１１５の代わりに図１２のように鋼球１１３が嵌まり込むような半球状の溝１３を一定間隔で周設すると、装着完了状態で吐水具９０を首振り回転するとクリック感及び回動抵抗を得ることができる。また、吐水具９０の着脱操作性は、鋼球１１３の数やそれを弾接保持しているＣ字型の板ばね１１２の弾性係数を変えることで調整できる。
【図面の簡単な説明】
【００２９】
【図１】板ばねの一形状を示すものであり、（ａ）は正面図、（ｂ）は側面図である。
【図２】本発明の第一の実施例を示すものであり、（ａ）は吐水具を引き出した状態の概略断面図、（ｂ）は吐水具を支持管に保持させた状態の概略断面図である。
【図３】本発明の第一の実施例を示す分解外観斜視図である。
【図４】本発明の第一の実施例を示すものであり、（ａ）は吐水具を引き出した状態の概略断面図、（ｂ）は吐水具を支持管に保持させた状態の概略断面図である。
【図５】支持管の突出部の断面図である。
【図６】吐水具の回転規制の実施例を示すものであり、（ａ）は吐水具の断面図及び背面図、（ｂ）は支持管の正面図及び断面図である。
【図７】板ばねの代用として樹脂で一体成形した場合の吐水具の断面図である。
【図８】板ばねの装着位置を変えた場合の概略断面図である。
【図９】回動抵抗を設けるための機構を示す支持管の一実施例を示すものであり、（ａ）はクリック感を出せるようにした支持管の断面図、（ｂ）はＯリングを装着した支持管の断面図である。
【図１０】鋼球を用いた別の実施例を示した着脱部の外観斜視図である。
【図１１】第三実施例の断面斜視図を示すものであり、（ａ）は装着前の状態、（ｂ）は装着後の状態図である。
【図１２】別の支持管の接続部の外観斜視図である。
【図１３】従来例を示す斜視図である。
【符号の説明】
【００３０】
３１…吐水具
３２…支持管
３３…突出部
３４…シャワーホース
４３…吐水インナー
４４…吐水カバー
４７…板ばね装着基台部
４８…板ばね
４９…挿通穴
６１…溝部
【図１】
2006104681.tif 000003
【図２】
2006104681.tif 000004
【図３】
2006104681.tif 000005
【図４】
2006104681.tif 000006
【図５】
2006104681.tif 000007
【図６】
2006104681.tif 000008
【図７】
2006104681.tif 000009
【図８】
2006104681.tif 000010
【図９】
2006104681.tif 000011
【図１０】
2006104681.tif 000012
【図１１】
2006104681.tif 000013
【図１２】
2006104681.tif 000014
【図１３】
2006104681.tif 000015